(57)【要約】【課題】本発明の目的は、適温まで加温されているか否かを容易に判別することのできる加温用カップを提供することにある。【解決手段】内容物がアセプティック充填された本体１２を備え、少なくとも該充填内容物の適温まで加温される加温用カップ１０であって、前記本体１２の底部１８に設けられた加温前用接地部２０及び加温後用接地部２２を備え、前記加温前の状態では、前記本体底部１８の加温前用接地部２０が接地し、前記加温により前記本体底部１８の少なくとも一部が外方へ膨出し、該加温が適温の状態では、該本体底部１８の加温後用接地部２２が接地し、該本体底部１８の加温前用接地部２０が接地せずに浮いていることを特徴とする加温用カップ１０。【選択図】　　　図１
2004051109.tif 000002
【特許請求の範囲】
【請求項１】
内容物がアセプティック充填された本体を備え、少なくとも該充填内容物の適温まで加温される加温用カップであって、
前記本体の底部に設けられた加温前用接地部及び加温後用接地部を備え、
前記加温前の状態では、前記本体底部の加温前用接地部が接地し、
前記加温により前記本体底部の少なくとも一部が外方へ膨出し、該加温が適温の状態では、該本体底部の加温後用接地部が接地し、該本体底部の加温前用接地部が接地せずに浮いていることを特徴とする加温用カップ。
【請求項２】
請求項１記載の加温用カップにおいて、前記本体底部は、前記加温前用接地部として用いられる縦断面略Ｕ字状の外縁部と、
前記外縁部に続く立ち上がり部及び略中央部のドーム部と、
前記ドーム部と立ち上がり部に跨って設けられ、前記加温後用接地部として用いられる複数の島状部と、
を備え、前記加温前の状態では、前記本体底部の外縁部が接地し、
前記加温により前記本体底部の少なくとも一部が外方へ膨出し、該加温が適温の状態では、該本体底部の島状部が接地し、該本体底部の外縁部が接地せずに浮いていることを特徴とする加温用カップ。
【請求項３】
請求項２記載の加温用カップにおいて、前記本体底部は、前記外縁部と立ち上がり部の間に、水平なリング部を備え、
前記リング部は前記外縁部の内縁に続き、かつ前記立ち上がり部は該リング部の内縁から立ち上がることを特徴とする加温用カップ。
【請求項４】
請求項２又は３記載の加温用カップにおいて、前記加温によっても前記本体の姿勢が実質的に傾かないように、該加温が適温の状態では、少なくとも三の島状部で接地することを特徴とする加温用カップ。
【請求項５】
請求項１〜４のいずれかに記載の加温用カップにおいて、前記本体は、圧空成形により成形された前記底部、前記底部に続く胴部、及び前記胴部に続くフランジ部を備えたことを特徴とする加温用カップ。
【発明の詳細な説明】
【０００１】
【発明の属する技術分野】
本発明は加温用カップ、特に適温まで加温されているか否かの判別機構に関する。
【０００２】
【従来の技術】
従来より、例えばスープ、カレー、シチュー等の固形物を含む液状食品、コーヒー、紅茶、ココア、乳飲料等の飲料を入れる容器として、例えばプラスチック製等のカップが使用されている。
該カップは、例えばプラスチックシートを成形することにより、胴部を底部から口部に向かって径が増大する傾斜面とし、口部を水平なフランジ部としている。内容物の充填後に該フランジ部に蓋板を固着させることにより、カップを密閉している。
【０００３】
通常、カップは内容物充填後に殺菌のために内容物が高温加熱される（実用新案登録第２５２０３７３号等参照）。
ここで、カップは高温加熱すると、底部が膨出し、カップが冷えても、底部はそのまま膨出しているので、カップの支持の不安定性や、見た目等を損なう。
これらの問題を解決するために、前記実用新案登録第２５２０３７３は、カップの底面を、その外周縁部から直線状のテーパ面で立ち上がる環状底面としており、該環状底面が、高温加熱殺菌処理により押し下げられるが、冷却後には水平な接地面となる構成を開示している。
【０００４】
しかしながら、前記実用新案登録第２５２０３７３にあっても、内容物のカップ充填後に行われる高温加熱殺菌により、カップのプラスチック臭が内容物に移ったり、内容物の香り等の風味が破壊されてしまう問題は残る。
このため、最近では、前記高温加熱殺菌を省略するために、例えばカップ、蓋板、充填設備及び内容物に有害な細菌がいない状態を作り出し、常温になった内容物をカップに充填し蓋体を固着させる所謂アセプティック充填方法が主流になりつつある。
【０００５】
ここで、内容物を高温のままカップに充填すると、カップが冷えたときに、カップ内の気体部分の体積の減少によりカップ内が減圧し、カップの胴部がへこんでしまう。特に、圧空成形カップは他の容器に比較し胴部がへこみ易い。これを防ぐためにアセプティック充填方法では常温になった内容物をカップに充填しているのである。
【０００６】
ところで、例えばコンビニエンスストアー等では、缶詰飲料やペットボトル飲料等の容器を温めた状態で販売するために、容器の加温設備と保温設備の付いたショーケースが設置されている。
例えば、一般的なショーケースは、容器を載せるプレートが、３分間程度で６７．５℃〜１０１．１℃に昇温する加熱ヒータを備えており、プレートの温度が６７．５℃に降下すると再び加熱ヒータで加温し、ショーケース内の温度を５５．２℃〜６０．２℃に保っている。
したがって、ショーケース内に所定の時間以上入れられている容器内の飲料の温度は、飲み頃の５０℃〜６０℃に保たれている。
【０００７】
【発明が解決しようとする課題】
しかしながら、前記ショーケース内のカップにあっても、ショーケース内に所定の時間以上入れられていないものは、ショーケース内の温度やプレートの温度が、必要な温度を示していても、内容物は適温まで加温されていないことがある。　このような加温が不充分なカップを避けるためには、販売員、顧客等が、カップが適温まで加温されているか否かを、知ることが重要である。
【０００８】
またショーケース内のカップの平均温度は、約５７℃程度の手でも触れることのできる比較的低い温度ではあるものの、カップを長時間ショーケースに入れたままにしておくと、高温加熱殺菌を省略しているにもかかわらず、熱による内容物の品質劣化等の問題を起こしかねない。
したがって、飲み頃の温度になったカップをショーケースより取り出し少数陳列し、売れた時点で補充していく加温販売も考えられる。これを適切に行うために販売員、顧客等は、カップが適温まで加温されているか否かを知ることが重要である。
【０００９】
このように何れの販売方式でも、販売員、顧客等の誰もが、カップが適温まで加温されているか否かを、カップ自体より判別することが要求されるが、従来は、カップ自体にその温度が適温か否かの判別に対する対策は、なされていなかった。
本発明は前記従来技術の課題に鑑みなされたものであり、その目的は適温まで加温されているか否かを容易に判別することのできる圧空成形カップを提供することにある。
【００１０】
【課題を解決するための手段】
前記目的を達成するために本発明にかかる加温用カップは、内容物がアセプティック充填された本体を備え、少なくとも該充填内容物の適温まで加温される加温用カップであって、前記本体の底部に設けられた加温前用接地部及び加温後用接地部を備える。前記加温前の状態では、前記本体底部の加温前用接地部が接地する。前記加温により前記本体底部の少なくとも一部が外方へ膨出し、該加温が適温の状態では、該本体底部の加温後用接地部が接地し、該本体底部の加温前用接地部が接地せずに浮いていることを特徴とする。
【００１１】
ここにいうアセプティック充填とは、常温で内容物をカップに充填した後に密封し、該密封後に加熱殺菌処理を必要としない内容物の充填方式をいい、本発明のカップは、該密封後の加熱殺菌処理をしていないものをいう。
なお、本発明において、前記本体底部は、外縁部と、ドーム部と、複数の島状部と、を備える。前記加温前の状態では、前記本体底部の外縁部が接地する。前記加温により前記本体底部の少なくとも一部が外方へ膨出し、該加温が適温の状態では、該本体底部の島状部が接地し、該本体底部の外縁部が接地せずに浮いていることが好適である。
【００１２】
ここで、前記外縁部は、前記加温前用接地部として用いられる縦断面略Ｕ字状の外縁部とする。
また前記ドーム部は、前記外縁部に続く立ち上がり部及び略中央部のドーム部とする。
前記島状部は、前記ドーム部と立ち上がり部に跨って設けられ、前記加温後用接地部として用いられる。
【００１３】
また本発明において、前記本体底部は、前記外縁部と立ち上がり部の間に、水平なリング部を備える。前記リング部は前記外縁部の内縁に続き、かつ前記立ち上がり部は該リング部の内縁から立ち上がることも好適である。
また本発明においては、前記加温によっても前記本体の姿勢が実質的に傾かないように、該加温が適温の状態では、少なくとも三の島状部で接地していることが好適である。
【００１４】
さらに本発明において、前記本体は、圧空成形により成形された前記底部、前記底部に続く胴部、及び前記胴部に続くフランジ部を備えることが好適である。ここにいうフランジ部とは、常温で内容物が充填され、該充填後に蓋体が密封されるものをいう。
【００１５】
【発明の実施の形態】
以下、図面に基づき本発明の好適な実施形態について説明する。
第一実施形態
　図１〜２には本発明の第一実施形態にかかる加温用カップの概略構成が示されている。なお図１（ａ）は本実施形態にかかる加温用カップの正面図、同図（ｂ）は同様のカップの底面図である。また図２（ａ）は本実施形態にかかる圧空成形カップを正面図の中心線で切断した拡大断面図、同図（ｂ）は同様のカップの側面を中心線で切断した拡大断面図である。
【００１６】
同図に示す加温販売用圧空成形カップ（加温用カップ）１０は、本体１２を備える。すなわちカップ１０は例えばプラスチックシートの圧空成形によるプラスチック製カップ等よりなり、本体１２が、フランジ部１４、胴部１６、底部１８等より構成されている。
そして、該カップ１０に飲料等の内容物が充填され、フランジ部１４がシールされた後に、流通販売過程で該カップが温められた状態で販売される。
【００１７】
ところで、加温販売では、カップの充填内容物が飲み頃等の適温まで加温されているか否かを容易に判別することが重要である。
ここで、従来方式、つまり内容物の充填後に高温加熱殺菌を行うカップでは、該高温加熱殺菌の時点で既に本体の底部が外方に膨出しており、またその膨出の度合いを判断する基準に対する対策も一切なされていない。このため従来方式のカップ自体からでは、ショーケース等で飲料等の充填内容物が飲み頃等の適温まで加温されているか否かの情報を得ることは事実上困難であった。
【００１８】
そこで、本実施形態においては、飲料等の充填内容物が適温まで加温されているか否かを容易に判別するために、内容物の充填方法として、数ある充填方法の中からアセプティック充填方式を採用している。
この結果、本実施形態においては、加熱殺菌処理を必要としない無菌状態の常温で、内容物を充填しシールするアセプティック充填することにより、流通販売過程で、はじめて圧空成形カップを温めている。このため本実施形態においては、本体底部の膨出が生じていると、これをショーケースでの加温によるものと間違いなく特定することができる。
【００１９】
ここで、アセプティック充填を採用しても、本体底部の膨出の度合いの基準を設けず、単に本体底部が膨出しているか否かの判定が困難なことがある。
そこで、本実施形態においては、さらに本体１２の底部１８に外縁部（加温前接地部）２０と、補強用島状段部（島状部，加温後接地部）２２を設けている。
すなわち加温前のカップ１０は本体底部１８の外縁部２０が接地し、島状段部２２が浮いているが、ショーケース等でカップ１０が加温されると、底部１８の略中央部が次第に外方へ膨出する。このような底部１８の膨出により、カップ１０全体が飲み頃まで加温されている状態では、島状段部２２が接地した状態で、カップ１０全体を上方に押し上げ、底部１８の外縁部２０が浮いている。つまり底部１８の外縁部２０に代えて、島状段部２２のみを接地させている。
【００２０】
この結果、本実施形態においては、底部１８の外縁部２０の接地状態を基準に、底部１８の外方への膨出の度合いを判定することができる。つまり底部１８の外縁部２０が接地していれば、カップ１０は底部１８の膨出の度合いが所定量よりも小さいことを示しており、カップ１０全体の温度が適温に達していないと判断することができる。
これに対し、底部１８の島状段部２２が接地し、外縁部２０が浮いていれば、カップ１０は底部１８の膨出の度合いが所定量以上であることを示しており、カップ１０全体が適温まで加温されていると容易に判断することができる。
【００２１】
このように本実施形態においては、内容物のアセプティック充填方式と、カップ１０の本体底部１８の外縁部２０及び島状段部２２との組み合わせよりはじめて、飲料等の内容物が飲み頃等の適温まで加温されているか否かを、例えば販売員ないし顧客等の人は目視で容易に判別することができる。
次に本実施形態にかかる加温販売用圧空成形カップ１０について、より詳細に説明する。
【００２２】
すなわち、同図に示すカップ１０は、その水平断面形状が円形で、上部にフランジ部１４と、それに続く胴部１６と、下端を塞ぐ底部１８とからなる。
＜フランジ部＞
フランジ部１４は、アルミ箔やプラスチック製の蓋板２４を接着又はヒートシールするため、水平でリング状に形成されている。そのフランジ部１４の厚さは、原材料の熱可塑性樹脂シートが僅かに薄くなった厚さになっている。
＜胴部＞
フランジ部１４の内端に続く胴部１６は、下方に向かって径が縮小する傾斜面となっており、その胴部１６の下端は、底部１８に続いている。
【００２３】
胴部１６の上端内側は、原材料の熱可塑性樹脂シートが僅かに薄くなった厚さを備えた肉厚部２６を内方へ突出させて環状に形成し、フランジ部１４と胴部１６の接続部の強度を補強している。なお、前記肉厚部２６は、胴部１６の上端の外側に形成させても良い。
カップ１０を積み重ねて取り扱い、積み重ねたカップ１０を簡単に分離させる目的で、胴部１６の下方には、傾斜面となっている胴部１６の内径が底部１８の外径よりも大きくなる高さの位置に、内方へ向かって突出する複数の段部２８を水平方向に同じ高さで設けられている。
【００２４】
該段部２８の上端頂面は、半円形をしていて、積み重ねた内側のカップ１０の底部１８が、外側のカップ１０の複数の段部２８で支持され、内外のカップ１０のそれぞれのフランジ部１４の間に間隙ができ、該間隙にセパレータ（図示省略）をさし込んで、積み重ねたカップ１０を簡単に分離させることができる。
【００２５】
＜底部＞
胴部１６の下端から続く底部１８は、縦断面形状が内方へ略Ｕ字形に構成されており、環状に形成された外縁部２０と、該外縁部２０から内方へ向かって立ち上がる立ち上がり部３０と、略中央部の内方へ膨出するドーム部３２を備える。
該立ち上がり部３０と中央のドーム部３２に跨って、扇形の底部を備えた補強用島状段部２２を外方へ突出させている。
該島状段部２２は、等間隔に六個設けており、該島状段部２２の扇形の底部は、立ち上がり部３０よりも内側に位置し、内方へ向かって僅かに傾斜している。
【００２６】
このように本実施形態においては、底部１８にドーム部３２及び補強用島状段部２２を成形することにより、底部１８を平板に成形したもの、或いは底部１８に補強用島状段部２２を成形せずにドーム部３２のみを設けたものに比較し、加温によっても高い剛性を維持することができる。すなわち、本実施形態においては、加温による底部１８の膨出を、カップ１０の傾き等の姿勢の変化を生じることなく、カップ１０をしっかりと支持した状態で行える。したがって、本実施形態においては、底部１８の膨出の度合いに基づいて、カップ１０の加温が適温か否かの判別を、より正確に行える。
【００２７】
このようなカップ１０に、有害な細菌のいない状態で、常温の内容物を詰め、蓋板２４を弛みのない平板な状態で、フランジ部１４にヒートシール等で固着している。
このとき、カップ１０は、流通時点では図２中、実線で示されるような底部１８の外縁部２０で接地している。
そして、カップ１０を暖めて販売するために、加温設備等の付いたショーケースに入れ、加温する。
【００２８】
ここで、本実施形態においては、充填内容物が適温まで加温されているか否かを、底部１８の外縁部２０が接地しているか否かにより判断しており、これを、より容易に行うためには、底部膨出時のカップの姿勢を崩さないようにすることも非常に重要である。
すなわち、従来方式、つまり通常のカップは底部の接地部が、環状の面であるので、加温による底部の膨出により、接地部の膨出の度合いにばらつきが生じることがある。これによりカップの底部の接地安定性が悪くなり、底部の接地部が接地しているか否かの判定にばらつきが生じることがある。
【００２９】
そこで、本実施形態においては、前述のような底部１８の膨出時における接地安定性の向上を図るために、加温により底部１８の外縁部２０を支点にして底部１８の略中央部を外方へ向かって膨出させている。そしてカップ１０全体の温度が飲み頃等の適温に達している状態では、外縁部２０に代えて、図２中、破線で示されるような島状段部２２の底部を接地させている。これを本実施形態では底部１８の膨出壁３４という。
【００３０】
このように本実施形態では、底部１８の膨出時に、少なくとも三以上の補強用島状段部２２で接地しているため、たとえ各島状段部２２の膨出割合にばらつきがあっても、最も突出した三つの島状段部２２で接地する。つまり本実施形態のカップ１０は、実質的に三点支持されるので、底部１８の膨出時であっても、カップは安定した状態で立っていることができる。これにより本実施形態は、底部１８の外縁部２０が接地しているか否かの判定が、従来方式、つまり接地部が環状の面のものに比較し、より容易に行なえるので、飲料等の充填内容物が飲み頃等の適温まで加温されているか否かの判定を、より容易に行うことができる。
【００３１】
したがって、本実施形態においては、高温加熱殺菌を省略する内容物のアセプティック充填方式の採用と、カップ１０の本体底部１８において特徴的な外縁部２０及び島状段部２２との組み合わせにより、店頭での加温販売時、加温用ショーケース内ではじめて底部を膨出させることができる。これにより本実施形態においては、従来方式、例えば内容物の充填方式として、内容物の充填後に加熱殺菌を採用する圧空成形カップ等では極めて困難であるが、底部１８の膨出の有無によって、ショーケースに入れたカップが飲み頃になっているか否かを、販売員、顧客等の誰もが一目瞭然で判別することができる。
【００３２】
また本実施形態においては、複数の補強用島状段部２２で接地しているため、各島状段部２２の膨出割合にばらつきがあっても、最も突出した三つの島状段部２２で接地できるので、従来方式のように接地部を環状の面で構成したものでは極めて困難であった、底部の膨出時においてもカップ１０を安定した状態で立たせることができる。
ここで、単にカップ全体の温度が適温まで加温されているか否かを判断するのであれば、例えばカップの胴部等に、温度により色等が変化する示温インキを使ったセンサ等を設けることも考えられる。
【００３３】
しかしながら、本実施形態においては、カップを長時間ショーケースに入れたままにしておくと、熱による内容物の品質劣化等の問題を起こしかねない。これを防ぐために、飲み頃の温度になったカップをショーケースより取り出して少数陳列し、売れた時点で補充していく販売方式も考えている。
このためカップをショーケースより取り出してからの時間経過により、カップ全体の温度が下がる。
【００３４】
ここで、例えばカップの胴部等に前記示温インキを使ったセンサ等を設けたのでは、カップ全体の温度が常温ないし該常温に近い温度であると、そのカップが一度加温された後に冷えたものか、或いは一度も加温されていないものかの判別が困難である。
そこで、本実施形態においては、このような販売方式に対応するためにも、前記内容物のアセプティック充填方式と、カップ１０の本体底部の外縁部２０及び島状段部２２の機能との組み合わせを用いている。
【００３５】
この結果、本実施形態においては、カップが適温よりも低い温度、例えば常温ないし常温に近い温度にあっても、既に加温されたことのあるものであれば、底部１８の外縁部２０に代えて、図２中、破線で示されるような底部１８の島状段部２２の底部が接地している。したがって、本実施形態においては、例えば販売員ないし顧客等の誰でも、常温になっているカップの底部の膨出の有無を確認することにより、そのカップがショーケースに一度入れられたものであるか否かも、容易に判別することができる。これにより本実施形態においては、何度もカップの加温冷却を繰り返し、内容物を極度に劣化させてしまうのを確実に防止することができる。
【００３６】
＜底部の膨出の度合い＞
なお、前記底部１８の膨出の度合いは、例えば底部１８の厚さによって、調整することができる。例えばカップ１０を成形するに当たって、原材料の熱可塑性樹脂シートの厚さを厚いものにしたり、シートの予備加熱を高い温度や長時間にすると、胴部１６が良く延びて底部１８が厚くなる。これにより底部１８の膨出の度合いが小さくなる。
これに対し、カップ１０を成形するに当たって、原材料の熱可塑性樹脂シートの厚さを薄いものにしたり、シートの予備加熱を低い温度や短時間にすると、底部１８の厚さが薄くなる。これにより加温による底部１８の膨出の度合いが大きくなり、底部１８がより膨出し易くなる。
【００３７】
またシートを雄型に向かって押し込むプラグの形状や押し込み速度等で底部１８の厚さを変えることができる。
このようにカップ１０の製造時に底部１８の厚さを調整することにより、例えば内容物等により異なる適温に応じて、底部１８の膨出の度合いを調整することができる。
【００３８】
第二実施形態
　図３〜４には本発明の第二実施形態にかかる加温用カップの概略構成が示されている。なお図３（ａ）は本実施形態にかかる加温用カップの正面図、同図（ｂ）は同様のカップの底面図、同図（ｃ）は同様のカップの平面図、同図（ｄ）は同様のカップの側面図である。図４（ａ）は本実施形態にかかる加温用カップの正面を中心線で切断した拡大断面図、同図（ｂ）は同様のカップの側面を中心線で切断した拡大断面図である。前記第一実施形態と対応する部分には符号１００を加えて示し説明を省略する。
本実施形態において、加温販売用圧空成形カップ（加温用カップ）１１０は、本体１１２の底部１１８の外縁部１２０とドーム部１３２との間にリング部１４０を設けている。
【００３９】
すなわち、本実施形態においては、胴部１１６の下端から続く底部１１８は、縦断面形状が内方に略Ｕ字形に構成されており、環状に形成された外縁部１２０と、該外縁部１２０に続く水平なリング部１４０と、該リング部１４０の内縁から内方へ向かって立ち上がる立ち上がり部１３０と、中央の内方へ膨出するドーム部１３２を備える。
本実施形態においても、前記第一実施形態と同様、該立ち上がり部１３０と、中央のドーム部１３２に跨って、扇形の底部を備えた補強用縞状段部１２２を外方へ突出させている。該島状段部１２２は、等間隔に六個設けてあり、該島状段部１２２の扇形の底部は、リング部１４０よりも内側に位置し、内方へ向かって僅かに傾斜している。
【００４０】
そして、本実施形態においては、前記第一実施形態と同様、加温販売時点で、加温すると、外縁部１２０を支点にして底部１１８が外方へ向かって膨張し、カップ１０全体の温度が、飲み頃の適温に達している状態では、外縁部１２０に代わって、図４中、破線で示されるような島状段部１２２の底部が接地している。したがって、本実施形態においては、前記第一実施形態と同様の作用効果を得ることができる。すなわち、本実施形態においても、内容物のアセプティック充填と底部１１８において特徴的な外縁部１２０及び島状段部１２２の組み合わせにより、店頭での加温販売時にはじめてカップ１１０の底部１１８を膨出させることができる。これにより膨出したカップ１１０の底部１１８の有無により、ショーケースに入れたカップ１１０が飲み頃の適温になっているか否かを、例えば販売員ないし顧客等の誰もが一目瞭然で判別することができる。
【００４１】
また本実施形態においても、常温になっているカップ１１０の底部１１８の膨出の有無を確認することにより、そのカップ１１０がショーケースに一度入れられたものであるか否かを、容易に判別することができる。
また本実施形態においても、少なくとも三の島状段部１２２で接地しているため、加温によっても、カップを安定した状態で立たせることができる。
【００４２】
さらに本実施形態においては、本体底部１１８の外縁部１２０とドーム部１３２の間にリング部１４０を設けているので、リング部１４０のない前記第一実施形態に比較し、底部１１８の変位を大きくすることができる。したがって、本実施形態においては、底部１１８の膨出割合を、より思い通りに制御することができるので、充填内容物が適温まで加温されているか否かの判別を、より容易に行うことができる。
なお、本発明にかかる加温用カップの製造方法としては、任意の製造方法を採用することができるが、少なくとも底部において特徴的な外縁部及び島状段部を一括して、しっかりと、しかも大量に製造するためには、数あるカップの製造方法の中でも、特に前記圧空成形が好ましい。
【００４３】
また前述のような本体底部の島状段部が接地し外縁部が浮いているカップの状態は、例えば販売員ないし顧客等の目視で確認することもできるが、カップの加温ないし保温に用いられるショーケース等の加温ないし恒温手段に対し、接地ないし非接地検知センサ等のセンサを設け、センサで自動に検知することが、判定のばらつきの低減、判定の容易化等の理由から、より好ましい。
また前記カップは販売用としているが、本発明はこれに限定されるものではなく、発明の要旨の範囲内であれば、販売以外の用途にも適用することができる。
【００４４】
【実施例】
以下、本発明の好適な実施例を説明する。なお、本発明は実施例に限定されるものではない。例えば底部の接地部を所望の位置にするために、下記製造条件に変更を加えることができる。
【００４５】
＜製造条件＞
耐気体透過性に優れたエチレン−ビニルアルコール共重合体層を接着剤を介してポリプロピレン層を挟んで積層した熱可塑性樹脂シート（厚さ２．５ｍｍ〜３．０ｍｍ程度）を、約４００℃に加熱したヒータの間を約４０秒間通過させて予備加熱し、カップの外面形状を備えた雌型にプラグで押し込み、そこへ８ｂａｒ程の高圧空気を吹き込んで雌型表面に押し付けて、底部の形状を前記図１に示した形状に圧空成形することにより、本実施例にかかる加温販売用圧空成形カップ（高さ１１０ｍｍ、底部内径５０ｍｍ、フランジ部内径６５ｍｍ）１０を製造した。
【００４６】
このようにして製造された本実施例にかかる圧空成形カップに、常温空気中でミルクコーヒーを２００ｍｌアセプティック充填し、アルミ箔のヒートシール蓋を弛みのない平板な状態でヒートシールした。
これを３分間程で６７．５℃〜１０１．１℃にプレートを加温する設備の付いたショーケースに入れて底部の膨出状態と加温時間と内容液の温度との関係を調査した。その調査結果を下記表１に示す。
【００４７】
なお、本調査方法は、本実施形態にかかるカップを三個用意し、一つには内容液の温度を測定する温度計を挿入してカップの中央付近の内容液の温度を測定した。もう一つのカップのドーム部の外面中央に貼着式温度計を貼付させて、ドーム部の温度を測定した。もう一つのカップで、底部の外縁部４１を基準に、島状段部４５の扇形の底部の最も中心寄りの部分の変位を測定した。
【００４８】
【表１】
2004051109.tif 000003
【００４９】
同表より明らかなように本実施例にかかるカップは、加温０．５時間後には、島状段部の扇形の底部は外縁部よりも外方へ膨出しており、加温１．０時間後には、内容液は飲み頃の温度を越えている。また加温３．５時間後には、内容液温は約６５℃で、島状段部の膨出寸法は約２．４ｍｍで、加温後の定常状態になっている。
また本実施例にかかるカップは、店頭での加温販売時に内容物の温度が飲み頃の温度になっていると、その底部が膨張壁となって、島状段部の扇形の底面が接地していた。また本実施例にかかるカップは、飲み頃と容易に判断されたと共に、安定した状態で立ち続けていた。
【００５０】
【発明の効果】
以上説明したように本発明にかかる加温用カップによれば、内容物がアセプティック充填され、また加温による底部の膨出により、適温まで加温されている状態では、本体底部の加温前接地部に代えて、該本体底部の加温後用接地部を接地させることとしたので、適温まで加温されているか否かを容易に判別することができる。
また本発明においては、適温まで加温されている状態で接地している複数の島状部を、本体底部の立ち上がり部とドーム部に跨って設けることにより、適温まで加温されているか否かを、より容易に判別することができる。
また本発明においては、少なくとも三の島状部が接地することにより、適温まで加温されたカップは、安定した状態で立置しているので、適温まで加温されているか否かの判別を、より容易に行うことができる。
また本発明においては、圧空成形カップを採用することにより、本発明において特徴的な本体底部の構成を良好に得ることができるので、適温まで加温されているか否かを、より容易に判別することができる。
【図面の簡単な説明】
【図１】同図（ａ）は本発明の第一実施形態にかかる圧空成形カップの正面図、同図（ｂ）は同様の圧空成形カップの底面図である。
【図２】同図（ａ）は図１に示した圧空成形カップの正面を中心線で切断した縦断面図、同図（ｂ）は同様の圧空成形カップの側面を中心線で切断した縦断面図である。
【図３】同図（ａ）は本発明の第二実施形態にかかる圧空成形カップの正面図、同図（ｂ）は同様の圧空成形カップの底面図、同図（ｃ）は同様の圧空成形カップの平面図、同図（ｄ）は同様の圧空成形カップの側面図である。
【図４】同図（ａ）は図３（ａ）に示した正面図の中心線で切断した縦断面図、同図（ｂ）は図３（ｄ）に示した側面図の中心線で切断した縦断面図である。
【符号の説明】
１０，１１０　加温販売用圧空成形カップ（加温用カップ）
１２，１１２　本体
１４，１１４　フランジ部
１６，１１６　胴部
１８，１１８　底部
２０，１２０　外縁部（加温前用接地部）
２２，１２２　補強用島状段部（島状部，加温後用接地部）
【図１】
2004051109.tif 000004
【図２】
2004051109.tif 000005
【図３】
2004051109.tif 000006
【図４】
2004051109.tif 000007